(57)【要約】【課題】パネルの落下を抑制することができ、かつ簡単に製造することができるパネル取付け装置、及びパネル取付け装置を備えた天井埋込スピーカを提供する。【解決手段】パネル取付け装置１０は、天井裏に配置されるケース４０と、天井表側に配置されるパネル３０をケース４０に引き付けるコイルばね５１とを備える。ケース４０には、コイルばね５１の一端が挿通する第１貫通孔４５Ａと、その他端が挿通する第２貫通孔４５Ｂとが設けられ、コイルばね５１がケース４０の背面側に掛け渡されかつその一端が第１貫通孔４５Ａを挿通してパネル３０に接続されるとともにその他端が第２貫通孔４５Ｂを挿通してパネル３０に接続される。このコイルばね５１には伸縮方向に対して垂直な方向に拡大した拡大部５３が設けられ、この拡大部５３の幅が第１及び第２貫通孔４５Ａ，４５Ｂの孔径よりも大きい。【選択図】図２
2015091088.tif 000002
【特許請求の範囲】
【請求項１】
天井裏に配置されるケースと、天井表側に配置されるパネルを前記ケースに引き付ける伸縮弾性体とを備え、前記ケースには、前記伸縮弾性体の一端が挿通する第１貫通孔と、前記伸縮弾性体の他端が挿通する第２貫通孔とが設けられ、前記伸縮弾性体が前記ケースの背面側に掛け渡されかつ前記伸縮弾性体の一端が前記第１貫通孔を挿通して前記パネルに接続されるとともに前記伸縮弾性体の他端が前記第２貫通孔を挿通して前記パネルに接続されるパネル取付け装置において、
前記伸縮弾性体には伸縮方向に対して垂直な方向に拡大した拡大部が設けられ、この拡大部の幅が前記第１貫通孔の孔径よりも大きく、かつ前記第２貫通孔の孔径よりも大きい寸法に設定されている
パネル取付け装置。
【請求項２】
前記拡大部における最も幅広部分の断面積が、前記第１貫通孔の孔面積よりも大きく、かつ前記第２貫通孔の孔面積よりも大きい
請求項１に記載のパネル取付け装置。
【請求項３】
前記拡大部は、前記第１及び第２貫通孔の孔径よりも大きい胴幅を有する胴部と、この胴部の両側それぞれに配置される傾斜部とを有する
請求項１または２に記載のパネル取付け装置。
【請求項４】
請求項１〜３のいずれか一項に記載のパネル取付け装置を備えた天井埋込スピーカ。
【発明の詳細な説明】
【技術分野】
【０００１】
本発明は、パネル落下を抑制するパネル取付け装置及びそのパネル取付け装置を備えた天井埋込スピーカに関する。
【背景技術】
【０００２】
室内空間を大きく見せるため、または室内デザインを向上させるために、スピーカ等の装置を天井裏に配置する場合がある。この場合、天井に孔を形成し、この孔を通じて天井裏にスピーカ等の装置を配置し、この孔及びスピーカ等の装置を目隠しするために、この孔をパネルで塞ぐ。
【０００３】
このような天井埋込み型の装置において、天井表側に配置されるパネルを取付けるための構造として、コイルばねによりパネルを固定する技術が知られている。
例えば、特許文献１には、天井埋込スピーカのパネル取付け構造が開示されている。
【０００４】
このパネル取付構造は、天井裏に配置されてスピーカを収容するケースと，天井表側に配置されるパネルと、このパネルを支持するコイルばねとを備えている。コイルばねは、ケースの背面側に配置されている。ケースには、コイルばねの端部をケースの表側に引き出すための貫通孔が２箇所に設けられている。コイルばねは引き伸ばされ、その一端が一方の貫通孔を挿通した状態でパネルの一方の端に取り付けられ、また他端が他方の貫通孔を挿通した状態でパネルの他方の端に取り付けられる。これにより、パネルは、コイルばねにより天井に引き付けられて、天井に密着するように固定される。
【０００５】
ところで、天井裏は殆ど換気されることがないため、湿気等によりコイルばねが腐食する場合がある。コイルばねが腐食すると、その途中で破断するおそれがある。コイルばねが破断すると、破断したコイルばねが、貫通孔を通り抜けるとともにパネルが落下する。そこで、このようなパネルの落下を抑制するために、特許文献１に記載の技術では、コイルばねに抜け防止部材を取り付けている。
【先行技術文献】
【特許文献】
【０００６】
【特許文献１】実開平０５−８００８４号公報
【発明の概要】
【発明が解決しようとする課題】
【０００７】
しかし、上記特許文献１の技術では、パネルが落下することを抑制という目的は達成されるが、次の点に課題がある。この技術では、製造において、コイルばねに抜け防止部材を取り付ける際、その作業が煩雑になる。このため、その取付作業に時間を要するといった課題がある。
【０００８】
本発明はこのような事情に鑑みてなされたものであり、その目的は、パネルの落下を抑制することができ、かつ簡単に製造することができるパネル取付け装置、及びパネル取付け装置を備えた天井埋込スピーカを提供することにある。
【課題を解決するための手段】
【０００９】
（１）パネル取付け装置は、天井裏に配置されるケースと、天井表側に配置されるパネルを前記ケースに引き付ける伸縮弾性体とを備え、前記ケースには、前記伸縮弾性体の一端が挿通する第１貫通孔と、前記伸縮弾性体の他端が挿通する第２貫通孔とが設けられ、前記伸縮弾性体が前記ケースの背面側に掛け渡されかつ前記伸縮弾性体の一端が前記第１貫通孔を挿通して前記パネルに接続されるとともに前記伸縮弾性体の他端が前記第２貫通孔を挿通して前記パネルに接続されるパネル取付け装置において、前記伸縮弾性体には伸縮方向に対して垂直な方向に拡大した拡大部が設けられ、この拡大部の幅が前記第１貫通孔の孔径よりも大きく、かつ前記第２貫通孔の孔径よりも大きい寸法に設定されている。
【００１０】
この構成によれば、腐食等に起因して伸縮弾性体が破断したとしても、拡大部が第１貫通孔または第２貫通孔に引っ掛かる。このため、破断により分割された２個の伸縮弾性体がともに第１貫通孔または第２貫通孔を通過することが抑制される。これにより、パネルの落下が抑制される。また、この構成の場合、その製造において、伸縮弾性体に抜け防止部材を取り付ける作業を要しないため、伸縮弾性体に抜け防止部材を取り付ける構造のパネル取付け装置に比べて、その製造工程が簡略化される。従って、このパネル取付け装置は簡単に製造可能なものである。
【００１１】
（２）上記パネル取付け装置において、前記拡大部における最も幅広部分の断面積が、前記第１貫通孔の孔面積よりも大きく、かつ前記第２貫通孔の孔面積よりも大きいことが好ましい。この構成によれば、伸縮弾性体が第１貫通孔または第２貫通孔を通り抜けることを、より確実に抑制することができる。
【００１２】
（３）上記パネル取付け装置において、前記拡大部は、前記第１及び第２貫通孔の孔径よりも大きい胴幅を有する胴部と、この胴部の両側それぞれに配置される傾斜部とを有することが好ましい。
【００１３】
伸縮弾性体を有するパネル取付け装置では、天井にパネルを取り付ける際、伸縮弾性体を引っ張って伸縮弾性体の一方の端部をパネルに引っ掛けて、次いで、他方の端部をパネルに引っ掛ける。このとき、伸縮弾性体は、ケースの背面に摺れるようにして伸びる。ケースの背面にバリ等の凸部があると、拡大部の端部が凸部にあたって伸縮弾性体を円滑に引張ることができにくくなる。
【００１４】
そこで、本構成では、拡大部の端部を傾斜させて、拡大部の端部が凸部に引っ掛かることを抑制する。これにより、パネル取付け装置の取付け作業時に、伸縮弾性体が凸部に引っ掛かることが抑制され、その作業が滞ることが少なくなる。
【００１５】
（４）天井埋込スピーカは上記パネル取付け装置を備える。
この構成によれば、パネルの落下が抑制される。また、伸縮弾性体の抜け防止部材を取り付けるものではないため、抜け防止部材を伸縮弾性体に取り付けられている従来の天井埋込スピーカに比べて、簡単に製造することができる。
【発明の効果】
【００１６】
上記パネル取付け装置は、パネルの落下を抑制することができ、かつ簡単に製造することができる。
【図面の簡単な説明】
【００１７】
【図１】実施形態に係る天井埋込スピーカの斜視図。
【図２】図１のＡ−Ａ線に沿う部分断面図。
【図３】ケースの貫通孔の構造について、図３（ａ）はその拡大図、図３（ｂ）はその変形例を示す拡大図。
【図４】パネルの平面図。
【図５】フックとパネルとの掛かり付け状態を示す斜視図。
【図６】コイルばねを示す平面図。
【図７】図６のＢ−Ｂ線に沿う断面図。
【図８】拡大部の第１の変形例を示す図。
【図９】拡大部の第２の変形例を示す図。
【図１０】コイルばねが破断したときのパネルの状態を示し、図１０（ａ）はコイルばねが拡大部の右側で破断したときの状態を示す部分断面図、図１０（ｂ）はコイルばねが拡大部の左側で破断したときの状態を示す部分断面図、図１０（ｃ）はコイルばねが拡大部の中間で破断したときの状態を示す部分断面図。
【発明を実施するための形態】
【００１８】
図１及び図２を参照して、本発明に係る実施形態の天井埋込スピーカについて説明する。なお、図２は、図１のＡ−Ａ線に沿う面において、その一部の断面構造を示す図である。また、図２では、コイルばね５１についてはその側面を示し、ケース４０については一部を破断した状態を示す。
【００１９】
天井埋込スピーカ１は、天井裏に配置されるスピーカ２０と、天井表側に配置されるパネル３０と、スピーカ２０にパネル３０を取り付けるパネル取付け装置１０とを備えている。
【００２０】
パネル取付け装置１０は、スピーカ２０を収容するケース４０と、パネル３０をケース４０側に引き付ける態様でこのパネル３０を支持するパネル支持体５０とを備えている。
パネル支持体５０は、コイルばね５１と、このコイルばね５１の両端それぞれに設けられる２つのフック５２とを備えている（図２参照）。フック５２は、パネル３０を天井に配置する際にこのパネル３０の掛部３４（図５参照）に掛けられる。
【００２１】
スピーカ２０とケース４０とパネル支持体５０とは天井埋込構造体６０を構成する。天井埋込構造体６０は、天井９０に開けた穿孔９１を通じて天井裏に配置されるものである。穿孔９１はパネル３０により塞がれる。
【００２２】
なお、以降の説明では、天井埋込構造体６０において室内側から見える部分を正面側とし、正面の反対側を背面側とする。同様に、パネル３０において、室内側から見える部分を正面側として、正面の反対側を背面側とする。
【００２３】
スピーカ２０は、コイル、振動板及び磁石を含むスピーカ本体２１と、外部配線を接続するコネクタ２２と、適切なインピーダンスを選択可能とするマッチングトランス２３とを備えている。
【００２４】
ケース４０は、スピーカ２０の背面部を覆うカバー４１と、スピーカ２０を支持するフレーム４３とを備えている。
カバー４１はドーム状に形成されている。カバー４１の背面部には、コイルばね５１（伸縮弾性体）の案内溝４２が形成されている。案内溝４２は、カバー４１の最外周に沿っている。ここで、最外周とは、カバー４１の中心軸を含む断面図における外周を示す。
【００２５】
フレーム４３には、円形のスピーカ配置孔４４（図２参照）が形成されている。スピーカ本体２１は、スピーカ配置孔４４を通じて音声が出力されるようにフレーム４３に配置される。また、フレーム４３においてスピーカ配置孔４４の外側には、２つの貫通孔（以下、これを「第１貫通孔４５Ａ」及び「第２貫通孔４５Ｂ」という。）が形成されている。２つの貫通孔４５Ａ，４５Ｂは、スピーカ配置孔４４を間に挟んで相対するところに配置されている。
【００２６】
図３（ａ）に、第２貫通孔４５Ｂの断面構造を示す。なお、第１貫通孔４５Ａの構造は、第２貫通孔４５Ｂと同様である。
第１及び第２貫通孔４５Ａ，４５Ｂの孔径φは、コイルばね５１の腕部５４のコイル径Ｄ（図６参照）よりも大きい。すなわち、コイルばね５１は、第１及び第２貫通孔４５Ａ，４５Ｂに挿通した状態で伸縮摺動可能である。
【００２７】
また、第１及び第２貫通孔４５Ａ，４５Ｂの孔径φは、コイルばね５１の拡大部５３（図６参照）における幅Ｗよりも小さい。これにより、コイルばね５１全体が、第１及び第２貫通孔４５Ａ，４５Ｂを通り抜けることが抑制される。
【００２８】
図３（ｂ）に、第２貫通孔４５Ｂの変形例の断面構造を示す。なお、この変形例は、第１貫通孔４５Ａにも適用される。
この変形例では、フレーム４３の上壁４３Ａに、コイルばね５１を案内するガイド壁４６が設けられている。このガイド壁４６は、上壁４３Ａに対して垂直方向に突出する。このガイド壁４６は、パネル取付け装置１０の製造においてコイルばね５１の端部を第２貫通孔４５Ｂに挿通する際、この作業を行い易くする効果もある。
【００２９】
ガイド壁４６がケース４０に設けられている構成では、上壁４３Ａを貫通する孔４３Ｈと、この孔４３Ｈの内周面に連続する面を有する上記ガイド壁４６とにより構成される孔が、第２貫通孔４５Ｂとして作用する。この場合、第２貫通孔４５Ｂの孔径φは、孔が最も大きくなる部分の径寸法または幅寸法を示す（図３（ｂ）参照）。
【００３０】
図４に、パネル３０の平面図を示す。
パネル３０は、パネルフレーム３１と、パネルフレーム３１に張り付けられるネット３２と、パネル３０の背面側に設けられている接続部３３とを備えている。パネルフレーム３１及び接続部３３はともに円環状に形成されている。接続部３３は、その外周縁がパネルフレーム３１から離れるようにして、パネルフレーム３１に固定されている。接続部３３には、フック５２が掛けられる掛部３４が２箇所に形成されている。
【００３１】
掛部３４は、フック５２が挿通する２つのフック孔３５により構成されている。２つのフック孔３５の間の距離は、２つのフック孔３５にフック５２が掛かるように設定されている。
【００３２】
図５を参照して、フック５２と掛部３４との係合構造について説明する。
各フック５２は、コイルばね５１の端部に取り付けられている。フック５２は、その先端を掛部３４の一方のフック孔３５を通過させて、次いで他方のフック孔３５に通過さえるようにして、この掛部３４に係合される。
【００３３】
なお、フック５２の基部幅ＷＸは、ケース４０の第１及び第２貫通孔４５Ａ，４５Ｂよりも大きい。すなわち、フック５２が第１及び第２貫通孔４５Ａ，４５Ｂを通過しない構造とされている。
【００３４】
次に、コイルばね５１について説明する。
コイルばね５１は、ケース４０の案内溝４２に沿って配置される。すなわち、コイルばね５１は、カバー４１の背面部に沿って第１貫通孔４５Ａから第２貫通孔４５Ｂまで掛け渡されている。コイルばね５１の一端は、第１貫通孔４５Ａを挿通してフレーム４３の正面側に出されている。コイルばね５１の他端は、第２貫通孔４５Ｂを挿通してフレーム４３の正面側に出されている。
【００３５】
図６及び図７を参照して、コイルばね５１の構造について説明する。
コイルばね５１は、ばね部５１Ａと、ばね部５１Ａの両端それぞれに設けられる取付部５１Ｂとを有する。取付部５１Ｂは、フック５２が取り付けられる部分である。コイルばね５１は、金属線（例えば、ピアノ線またはステンレス線）をコイル状に巻くことにより形成される。
【００３６】
コイルばね５１の中間部分には、コイルばね５１の伸縮方向ＤＥに垂直な方向にその幅が拡大した拡大部５３が設けられている。
コイルばね５１において拡大部５３以外の部分（以下、「腕部５４」という。）は、コイル径Ｄ（外径）が所定長に設定されている。
【００３７】
拡大部５３の幅Ｗは、腕部５４のコイル径Ｄよりも大きい寸法に設定されている。
また、拡大部５３の幅Ｗは、ケース４０の第１及び第２貫通孔４５Ａ，４５Ｂの孔径φよりも大きい寸法に設定されている。この構成により、コイルばね５１が、第１及び第２貫通孔４５Ａ，４５Ｂを通り抜けることが抑制される。
【００３８】
ここで、拡大部５３の幅Ｗとは、コイルばね５１の伸縮方向ＤＥに垂直な各断面について断面形状の最大幅を比較したときに、最も大きい最大幅を有する部分におけるその外形の最大幅を示す。各断面形状とは、コイルばね５１の伸縮方向ＤＥに沿う軸上の各点それぞれにおける断面形状を示す。断面形状の最大幅は、例えば、断面形状が円形であるときは直径の長さを示し、断面形状が楕円であるときは長軸の長さを示す。
【００３９】
また、この構成において、拡大部５３における最も幅広部分の断面積が、ケース４０の第１貫通孔４５Ａの孔面積及び第２貫通孔４５Ｂの孔面積よりも大きいことが好ましい。これにより、コイルばね５１全体が第１及び第２貫通孔４５Ａ，４５Ｂを通り抜けることをより確実に抑制することができる。
【００４０】
なお、ここで、拡大部５３における最も幅広部分の断面積とは、拡大部５３において上記「拡大部５３の幅Ｗ」が設定される部分における断面積（コイル内の面積を含む。）をいう。
【００４１】
次に、拡大部５３の一例を説明する。
図６に示すように、拡大部５３は、胴部５３Ａと、胴部５３Ａの両側それぞれに配置される傾斜部５３Ｂとを有する。胴部５３Ａ及び傾斜部５３Ｂは、伸縮方向ＤＥに垂直な断面において、円形に形成されている。
【００４２】
胴部５３Ａは円筒状に構成されている。胴部５３Ａの胴幅すなわちコイル径（拡大部５３の幅Ｗに対応する。）は、腕部５４のコイル径Ｄよりも大きい。また、胴部５３Ａは２巻き以上のコイルとして構成されている。
【００４３】
傾斜部５３Ｂは、胴部５３Ａから腕部５４に向かってコイル径が順に小さくなるよう構成された部分である。なお、このコイルばね５１では、拡大部５３の胴部５３Ａにおいて断面積が最も大きくなるため、この胴部５３Ａのコイル径が拡大部５３の幅Ｗに対応する。
【００４４】
次に、拡大部５３の他の例を挙げる。
拡大部５３の断面形状（伸縮方向ＤＥに垂直な断面の形状）は、円形に限られない。例えば、拡大部５３の断面形状を楕円形に構成してもよいし、長円に構成してもよい。また、拡大部５３の断面形状を長円にする場合において幅狭の部分を設けてもよい。以下、これらの例を説明する。
【００４５】
図８に、第１の変形例の拡大部１５３を示す。
この拡大部１５３の断面形状は、長軸の長さ及び短軸の長さがともに腕部５４のコイル径Ｄよりも大きい長さに設定されている楕円である。この拡大部１５３においては、長軸の長さが拡大部１５３の幅Ｗに相当する。そして、この幅Ｗは、第１貫通孔４５Ａ及び第２貫通孔４５Ｂの孔径φよりも大きい長さに設定されている。
【００４６】
図９に、第２の変形例の拡大部２５３を示す。
この拡大部２５３の断面形状は長円である。また、拡大部２５３の断面形状において、長手方向の長さが腕部５４のコイル径Ｄよりも大きい長さに設定されている。一方、拡大部２５３の短手方向の長さは腕部５４のコイル径Ｄと略等しい長さに設定されている。この拡大部２５３においては、長手方向の長さが拡大部２５３の幅Ｗに相当する。そして、この幅Ｗは、第１貫通孔４５Ａ及び第２貫通孔４５Ｂの孔径φよりも大きい長さに設定されている。
【００４７】
なお、この構成において、拡大部２５３の短手方向の長さを腕部５４のコイル径Ｄよりも短くしてもよい。この構成においても、コイルばね５１全体が第１貫通孔４５Ａ及び第２貫通孔４５Ｂを通り抜けることが抑制される。
【００４８】
＜天井埋込スピーカの取り付け方法＞
天井埋込スピーカ１の取り付け方法について説明する。
まず、天井埋込構造体６０が入る寸法の孔（穿孔９１）を天井９０に形成する。
【００４９】
例えば、天井埋込構造体６０の寸法が縦２１５ｃｍ、横１３４ｃｍ、高さ８９ｃｍの場合は直径１５０ｃｍの孔（穿孔９１）を形成する。そして、この孔（穿孔９１）を通じて天井埋込構造体６０を天井裏に配置し、天井埋込構造体６０の位置を調整することによりスピーカ本体２１を穿孔９１に対向させる。
【００５０】
次に、一方のフック５２を引っ張り出し、パネル３０の一方の掛部３４にフック５２を引っ掛ける。また、同様に、他方のフック５２を引っ張り出し、パネル３０の他方の掛部３４にフック５２を引っ掛ける。これにより、コイルばね５１の一端がパネル３０の一側端に接続されて、かつコイルばね５１の他端がパネル３０の他側端に接続される。この状態のとき、パネル３０にコイルばね５１の引っ張り力が加わる。このため、パネル３０が天井埋込構造体６０に引っ張られ天井９０に押圧された状態でパネル３０が固定される。以上の作業により、天井埋込スピーカ１の取り付け作業が完了する。
【００５１】
すなわち、天井埋込スピーカ１の取り付けは、第１ステップで天井９０に孔を形成し、第２ステップで、天井埋込構造体６０を配置し、第３ステップでパネル３０にフック５２を掛けるという、３ステップで作業が完了する。
【００５２】
＜拡大部の作用＞
図１０を参照して、コイルばね５１が破断したときの拡大部５３の作用を説明する。
なお、この説明では、コイルばね５１について右側というときは図１０の右側にある部分を示し、左側というときは図１０の左側にある部分を示す。または、破断した２つのコイルばね５１のうち破断部分Ａよりも右側のコイルばね５１を右側コイルばね５１Ｒとし、破断部分Ａよりも左側のコイルばね５１を左側コイルばね５１Ｌと称する。
【００５３】
図１０（ａ）は、コイルばね５１が、拡大部５３よりも右側で破断したときの状態を示す。コイルばね５１が破断したとき、天井９０側にパネル３０を引き付ける力がなくなるため、パネル３０が落下し始める。このため、破断した２つのコイルばね５１もパネル３０に引きずられて落下し始める。
【００５４】
２つのコイルばね５１のうち右側コイルばね５１Ｒには拡大部５３が付いていないため、右側コイルばね５１Ｒは第１貫通孔４５Ａを抜け落ちる。一方、２つのコイルばね５１のうち左側コイルばね５１Ｌには拡大部５３が付いているため、拡大部５３が第２貫通孔４５Ｂに当たって左側コイルばね５１Ｌの落下が止められる。すなわち、パネル３０は、左側コイルばね５１Ｌにより片持ち状態で支持される。
【００５５】
図１０（ｂ）は、コイルばね５１が、拡大部５３よりも左側で破断したときの状態を示す。コイルばね５１が破断したとき、上記と同様に、パネル３０が落下し始める。２つのコイルばね５１のうち左側コイルばね５１Ｌには拡大部５３が付いていないため、左側コイルばね５１Ｌは第２貫通孔４５Ｂを抜け落ちる。一方、２つのコイルばね５１のうち右側コイルばね５１Ｒには拡大部５３が付いているため、拡大部５３が第１貫通孔４５Ａに当たって右側コイルばね５１Ｒの落下が止められる。すなわち、パネル３０は、右側コイルばね５１Ｒにより片持ち状態で支持される。
【００５６】
図１０（ｃ）は、コイルばね５１が、拡大部５３で破断したときの状態を示す。コイルばね５１が破断したとき、上記と同様に、パネル３０が落下し始める。
２つのコイルばね５１のうち右側コイルばね５１Ｒは、拡大部５３のうちの片側が付いているため、拡大部５３が第１貫通孔４５Ａに当たって右側コイルばね５１Ｒの落下が止められる。また同様に、２つのコイルばね５１のうち左側コイルばね５１Ｌにも拡大部５３の残片が付いているため、この拡大部５３が第２貫通孔４５Ｂに当たって左側コイルばね５１Ｌの落下が止められる。すなわち、拡大部５３で破断したとき、左側コイルばね５１Ｌと右側コイルばね５１Ｒとによりパネル３０が支持される。
【００５７】
本実施形態に係るパネル取付け装置１０によれば、次の効果を奏する。
（１）パネル取付け装置１０は、ケース４０の裏側に掛け渡されるように配置されたコイルばね５１でパネル３０を支持する。このコイルばね５１（伸縮弾性体）は伸縮方向ＤＥに対して垂直な方向に拡大した拡大部５３が設けられている。この拡大部５３の幅Ｗは第１及び第２貫通孔４５Ａ，４５Ｂの孔径φよりも大きい寸法に設定されている。
【００５８】
この構成によれば、腐食等に起因してコイルばね５１が破断したとしても、拡大部５３が第１貫通孔４５Ａまたは第２貫通孔４５Ｂに引っ掛かる。このため、破断により分割された２個のコイルばね５１Ｒ，５１Ｌがともに第１貫通孔４５Ａまたは第２貫通孔４５Ｂを通過してしまうことが抑制される。これにより、パネル３０の落下が抑制される。
【００５９】
また、この構成の場合、その製造において、コイルばね５１に抜け防止部材を取り付ける作業を要しない。このため、コイルばね５１に抜け防止部材を取り付ける構造のパネル取付け装置に比べて、その製造工程が簡略化される。従って、パネル取付け装置１０は、従来のパネル取付け装置に比べて、簡単に製造される。また、コイルばね５１に抜け防止部材を取り付ける構造を有するパネル取付け装置に比べて、部品点数が少ないため、低コスト、かつ製造時の部品管理が容易であるというメリットもある。
【００６０】
（２）パネル取付け装置１０において、拡大部５３で最も幅広部分の断面積が、第１貫通孔４５Ａの孔面積よりも大きく、かつ第２貫通孔４５Ｂの孔面積よりも大きいことが好ましい。この構成によれば、コイルばね５１が第１貫通孔４５Ａまたは第２貫通孔４５Ｂを通り抜けることをより確実に抑制することができる。
【００６１】
（３）パネル取付け装置１０において、拡大部５３は、第１及び第２貫通孔の孔径φよりも大きい胴幅を有する胴部５３Ａと、この胴部５３Ａの両側に配置される傾斜部５３Ｂとを有することが好ましい。
【００６２】
コイルばね５１を有するパネル取付け装置１０では、天井にパネル３０を取り付ける際、コイルばね５１を引っ張ってその一方の端部をパネル３０に引っ掛けて、次いで、他方の端部をパネル３０に引っ掛ける。このとき、コイルばね５１は、ケース４０の背面に摺れるようにして伸びる。この場合、ケース４０の背面にバリ等の凸部があると拡大部５３の端部が凸部にあたってコイルばね５１を円滑に引張ることができにくくなる。
【００６３】
そこで、本構成では、拡大部５３の端部を傾斜させて、拡大部５３の端部が凸部に引っ掛かることを抑制する。これにより、パネル取付け装置１０の取付け作業時に、コイルばね５１がバリ等の凸部に引っ掛かることが抑制され、その作業が滞ることが少なくなる。
【００６４】
（４）天井埋込スピーカ１は、上記パネル取付け装置１０を備えている。
この構成によれば、パネル３０の落下が抑制される。また、抜け防止部材等の部品をコイルばね５１に取り付けられている従来の天井埋込スピーカに比べて、簡単に製造することができる。
【００６５】
［その他の実施形態］
本技術は、上記実施形態に限定されるものではない。
以下、その他の実施形態について説明する。
【００６６】
・上記実施形態に示すコイルばね５１では、１つのばね部５１Ａを有するが、複数個のばね部５１Ａを有するようにコイルばね５１を構成してもよい。例えば、コイルばね５１を、３つのばね部で構成し、２つのばね部の間に配置されるばね部において拡大部５３を設ける。このような構成によっても、破断により分割されたコイルばね５１の少なくとも一方は第１及び第２貫通孔４５Ａ，４５Ｂを通り抜けない。なお、この構成でも、１本の金属線によりコイルばね５１を形成することができるため、その部品点数が増加することはなく、製造時の作業効率が低下することもない。
【００６７】
・上記実施形態に示すコイルばね５１は、その伸縮方向ＤＥに沿う軸に対して垂直な面に沿って金属線が巻かれているが、コイルばね５１の形態はこれに限定されない。例えば、コイルばね５１として、その伸縮方向ＤＥに沿う軸に対して斜めに交差する面に沿って金属線が巻かれたものを用いてもよい。
【００６８】
・上記実施形態に示すコイルばね５１は１つの拡大部５３を有するが、拡大部５３の個数はこれに限定されない。コイルばね５１において、複数個所に拡大部５３を設けるようにしてもよい。
【００６９】
・上記実施形態では、パネル取付け装置１０を天井埋込スピーカ１に適用しているが、その適用は天井埋込スピーカ１のみに限定されない。パネル３０をケース４０側に引き付ける構造のもの、またはパネル３０の取り付け構造をケース４０側に引き付ける構造に変更することができるものについてパネル取付け装置１０を適用することができる。例えば、天井９０に取り付けられる照明用の化粧板（パネル）の取付構造についてパネル取付け装置１０を適用することができる。また、火災報知器等において天井９０に取り付けられる装置を、天井面よりも上方に配置する場合には、このパネル取付け装置１０が好適に採用される。火災報知器を天井裏に配置する場合には、パネル３０は、化粧板としての機能と、煙を吸い込む吸い込み口としての機能とを備えるように構成される。
【００７０】
［付記］
発明を実施するための形態には、課題を解決する手段に挙げた技術思想以外の技術思想も開示されている。以下に、そのうちの１つを示す。
【００７１】
［付記１］
本技術に係るパネル取付け装置は、天井裏に配置されるケースと、天井表側に配置されるパネルを前記ケースに引き付ける伸縮弾性体とを備え、前記ケースには、前記伸縮弾性体の一端が挿通する第１貫通孔と、前記伸縮弾性体の他端が挿通する第２貫通孔とが設けられ、前記伸縮弾性体が前記ケースの背面側に掛け渡されかつ前記伸縮弾性体の一端が前記第１貫通孔を挿通して前記パネルに接続されるとともに前記伸縮弾性体の他端が前記第２貫通孔を挿通して前記パネルに接続されるパネル取付け装置において、前記伸縮弾性体には伸縮方向に対して垂直な方向に拡大した拡大部が設けられ、この拡大部の幅が前記第１貫通孔の孔径よりも大きく、前記第２貫通孔の孔径よりも大きい寸法に設定され、前記拡大部の胴部の巻き数は２以上である。
【００７２】
コイルばねの拡大部は、他の部分に比べてばね定数が小さくなる。このため、コイルばねを引っ張ったとき、拡大部が他の部分（腕部）に比べて伸びやすい。拡大部の巻き数を多くすることにより、コイルばねを伸ばし易くすることができる。これは次の点でメリットがある。例えば、オフィスビル等、多数の天井埋込スピーカが設置される場合、コイルばねを引っ張るために要する力が大きいと、パネル取り付け作業を行う作業者の負担が増す。この点、拡大部の巻き数を２巻き以上にして、コイルばねを引っ張るために要する力を小さくしているため、作業者の負担を軽減することができる。
【符号の説明】
【００７３】
１…天井埋込スピーカ、１０…パネル取付け装置、２０…スピーカ、２１…スピーカ本体、２２…コネクタ、２３…マッチングトランス、３０…パネル、３１…パネルフレーム、３２…ネット、３３…接続部、３４…掛部、３５…フック孔、４０…ケース、４１…カバー、４２…案内溝、４３…フレーム、４３Ａ…上壁、４３Ｈ…孔、４４…スピーカ配置孔、４５Ａ…第１貫通孔、４５Ｂ…第２貫通孔、４６…ガイド壁、５０…パネル支持体、５１…コイルばね、５１Ａ…ばね部、５１Ｂ…取付部、５１Ｒ…右側コイルばね、５１Ｌ…左側コイルばね、５２…フック、５３，１５３，２５３…拡大部、５３Ａ…胴部、５３Ｂ…傾斜部、５４…腕部、６０…天井埋込構造体、９０…天井、９１…穿孔。
【図１】
2015091088.tif 000003
【図２】
2015091088.tif 000004
【図３】
2015091088.tif 000005
【図４】
2015091088.tif 000006
【図５】
2015091088.tif 000007
【図６】
2015091088.tif 000008
【図７】
2015091088.tif 000009
【図８】
2015091088.tif 000010
【図９】
2015091088.tif 000011
【図１０】
2015091088.tif 000012